(57)【特許請求の範囲】
【請求項１】
主フック部と、該主フック部とは係止方向が逆向きになる副フック部とを備え、
該主フック部は一対の挟持片を開閉自在に相互に取着し、該挟持片をばねにより常時閉じる方向に付勢してなり、
該副フック部は主フック部に対し上下方向に回動自在に取り付けられ、該副フック部を上方に回動させたときに該副フック部を鴨居等の支持体に係止させ得るようにした物干し器のフックにおいて、
前記副フック部における先端には平坦な手当接部を形成し、
前記主フック部には、該副フック部が下方に回動したときに該副フック部に当接して該副フック部の更なる回動を阻止する下側ストッパーを備えさせ、
該副フック部が下方に回動して下側ストッパーに当接したときに該副フック部の手当接部が略水平になるようにしたことを特徴とする物干し器のフック。
【発明の詳細な説明】
【技術分野】
【０００１】
本発明は、物干し器のフックに関するものであり、更に詳しくは、洗濯物その他の物を吊るして干すための物干し器において、該物干し器を物干し竿、物干し紐、鴨居等に吊下げるためにこれらの物干し竿、物干し紐、鴨居等に係止するようにしたフックに係るものである。
【背景技術】
【０００２】
物干し器のフックとしては、一対の挟持片を開閉自在に相互に取着し、該挟持片をばねにより常時閉じる方向に付勢してなるもの（以下「一般のフック」という。）が既に使用されている。
【０００３】
特開２００３−２４６９５号公報は、図５に示す如き物干し器のフック（以下「公報記載のフック」という。）を開示している。
【０００４】
公報記載のフックは、図５に示すように、主フック部１と、該主フック部１とは係止方向が逆向きになる副フック部３とを備え、該副フック部３は主フック部１に対し上下方向に回動自在に取り付けられている。即ち、副フック部３は基部３ａにて回動軸５を介して主フック部１に取り付けられている。
【０００５】
公報記載のフックにおいては、主フック部１は物干し竿等に係止され、副フック部３は鴨居等に係止される。
【０００６】
公報記載のフックにおいては、副フック部３は係止姿勢と格納姿勢との間で揺動切り替え自在である。係止姿勢は副フック部３を鴨居等に係止する場合の姿勢であり、格納姿勢は副フック部３を主フック部１内に格納する場合の姿勢である。
【０００７】
なお、公報記載のフックにおける主フック部１は、一対の挟持片１ａ、１ｂを開閉自在に相互に取着し、該挟持片１ａ、１ｂをばねにより閉じる方向に付勢してなるものである点においては、上記一般のフックと同様である。
【特許文献１】特開２００３−２４６９５号公報
【発明の開示】
【発明が解決しようとする課題】
【０００８】
上記公報記載のフックを備えた物干し器においては、濡れた洗濯物を吊るした物干し器を物干し竿等に吊下げる際には、例えば、副フック部３を下方に回動させて格納姿勢（図５における鎖線参照）となし、主フック部１における挟持片１ａ、１ｂの下端１ａ’、１ｂ’をばねの力に抗して手で強く把持することにより該挟持片１ａ、１ｂを開いた状態で物干し器を持上げ、開口した挟持片１ａ、１ｂ間に物干し竿、物干し紐等を挟持させるのである。図５、図２参照。
【０００９】
しかるに、特に濡れた洗濯物を吊るした物干し器は、かなりの重さがあるため、このような物干し器の主フック部１における挟持片１ａ、１ｂの下端１ａ’、１ｂ’をばねの力に抗して手で強く把持することにより該挟持片１ａ、１ｂを開いた状態で物干し器を持上げることは、もともと、作業者に大きな負担を強いるものである。
【００１０】
このような状況下にあるにもかかわらず、上記公報記載のフックは、挟持片１ａ、１ｂの下端１ａ’、１ｂ’を上述の如く手で把持する際にフックが手から下方に滑ることを防止する手段を全く備えていない。因みに、副フック部３を下方に回動させて主フック部１内に格納した格納姿勢（図５における鎖線参照）となしたときでも、該副フック部３はフックが手から下方に滑ることを防止する手段にはなり得ない。
【００１１】
従って、特に、濡れた洗濯物の場合のように、吊るす物の重量が大きいときには、主フック部１における挟持片１ａ、１ｂの下端１ａ’、１ｂ’を手で把持することにより該挟持片１ａ、１ｂを開いた状態で物干し器を持上げる際に、フックが手から下方に滑り落ちやすくなり、手にかかる負担が大きくなるという問題が生ずる。
【００１２】
本発明は、上述の如き問題を解決しようとしてなされたものである。
【課題を解決するための手段】
【００１３】
上記課題を解決するために、本発明は、フックにおける副フック部に改良を施したものである。
【００１４】
即ち、本発明は、下記の物干し器のフックを提供する。
【００１５】
主フック部と、該主フック部とは係止方向が逆向きになる副フック部とを備え、
該主フック部は一対の挟持片を開閉自在に相互に取着し、該挟持片をばねにより常時閉じる方向に付勢してなり、
該副フック部は主フック部に対し上下方向に回動自在に取り付けられ、該副フック部を上方に回動させたときに該副フック部を鴨居等の支持体に係止させ得るようにした物干し器のフックにおいて、
前記副フック部における先端には平坦な手当接部を形成し、
前記主フック部には、該副フック部が下方に回動したときに該副フック部に当接して該副フック部の更なる回動を阻止する下側ストッパーを備えさせ、
該副フック部が下方に回動して下側ストッパーに当接したときに該副フック部の手当接部が略水平になるようにしたことを特徴とする物干し器のフック。
【発明の効果】
【００１６】
副フック部を下方に回動して下側ストッパーに当接させておけば、該副フック部の更なる回動が阻止され、該副フック部の手当接部が略水平になる。従って、濡れた洗濯物等の重い物を吊るした物干し器を物干し竿、物干し紐等に吊下げるに当たり、主フック部における挟持片の下端を手で把持することにより該挟持片を開いた状態で物干し器を持上げる際には、副フック部における平坦な手当接部が手の上面に当接する。その結果、濡れた洗濯物の重量が大きいときでも、手にかかる負担が軽減され、フックが手から下方に滑り落ちるおそれも解消される。
【発明を実施するための最良の形態】
【００１７】
まず、本発明が上記従来技術と共通する点について説明する。
【００１８】
本発明の物干し器のフック１０は、主フック部１１と、該主フック部１１とは係止方向が逆向きになる副フック部１３とを備えている。
【００１９】
主フック部１１は一対の挟持片１１ａ、１１ｂを開閉自在に相互に取着し、該挟持片１１ａ、１１ｂをばね１５により常時閉じる方向に付勢してなる。符号１１ａ’に示すものは挟持片１１ａの下端、符号１１ｂ’に示すものは挟持片１１ｂの下端である。符号１７に示すものは、挟持片１１ａ、１１ｂの回動軸等の回動中心である。
【００２０】
副フック部１３は主フック部１１に対し上下方向に回動自在に取り付けられ、該副フック部１３を上方に回動させたときに該副フック部１３を鴨居等の支持体１９に係止させ得るようになす。符号２１に示すものは、副フック部１３の回動軸等の回動中心である。
【００２１】
副フック部１３は、該副フック部１３を鴨居等の支持体１９に係止させるための係止凹部２３を、回動中心２１側の基端１３ａと先端１３ｂとの間に備えている。
【００２２】
符号２５に示すものは、副フック部１３の上方への回動を規制する上側ストッパーである。上側ストッパー２５は、一例として、図３に示すように、副フック部１３が上方に回動したときに該副フック部１３の一部２５ａが主フック部１１における挟持片１１ａの対応垂直面２５ｂに当接することにより該副フック部１３の上方への更なる回動を阻止するようにしてなるものである。なお、上側ストッパー２５はこの事例に限られるものではない。
【００２３】
符号２７に示すものはフック１０の基台である。基台２７には、紐、ワイヤ、チェーン等の吊り手段２９を介してフレーム３１を吊下げられ、該フレーム３１には洗濯物等を保持するためのピンチ３３が多数個取り付けられている。図４参照。図２において符号３４に示すものは物干し竿である。
【００２４】
以下、本発明が上記従来技術と異なる点について説明する。
【００２５】
本発明においては、副フック部１３における先端１３ｂには平坦な手当接部４１を形成する。
【００２６】
手当接部４１は、フック１０を把持したときに手の上面に当接して手にかかる負担を軽減するに足る広い面積を有するものとする。
【００２７】
主フック部１１には、副フック部１３が下方に回動したときに該副フック部１３に当接して該副フック部１３の更なる回動を阻止する下側ストッパー４３を備えさせる。
【００２８】
図示の事例においては、主フック部１１の一方の挟持片１１ａにおける副フック部１３に臨む側面を下側ストッパー４３となしている。
【００２９】
副フック部１３が下方に回動して下側ストッパー４３に当接したときに該副フック部１３の手当接部４１が略水平になるようにする。
【図面の簡単な説明】
【００３０】
【図１】本発明によるフックの一例を示す正面図である。
【図２】同上フックを把持した状態を示す正面図である。
【図３】同上フックにおいて副フック部を上方に回動させた状態を示す正面図である。
【図４】同上フックを備えた物干し器の一例を示す正面図である。
【図５】公報記載のフックを示す正面図である。
【符号の説明】
【００３１】
１  主フック部
１ａ  挟持片
１ａ’  下端
１ｂ  挟持片
１ｂ’  下端
３  副フック部
３ａ  基部
５  回動軸
１０  フック
１１  主フック部
１１ａ  挟持片
１１ａ’  下端
１１ｂ  挟持片
１１ｂ’  下端
１３  副フック部
１３ａ  基端
１３ｂ  先端
１５  ばね
１７  回動中心
１９  支持体
２１  回動中心
２３  係止凹部
２５  上側ストッパー
２５ａ  一部
２５ｂ  垂直面
２７  基台
２９  吊り手段
３１  フレーム
３３  ピンチ
３４  物干し竿
４１  手当接部
４３  下側ストッパー
【図１】
0004564424.tif 000002
【図２】
0004564424.tif 000003
【図３】
0004564424.tif 000004
【図４】
0004564424.tif 000005
【図５】
0004564424.tif 000006